(57)【要約】【課題】施工性及びメンテナンス性に優れ、且つ、電気機器に接続される配線を仕舞いよく収めることができて外観の優れた建築用パネル及びその取付構造を提供する【解決手段】パネル本体２に電気機器３が設けられた天井７又は壁用の建築用パネルにおいて、パネル本体２の側端部に外側方Ａ及び／又は表面側Ｂに開口して前記電気機器３に接続される配線２８を通すための配線用空間部１８が形成される。前記パネル本体２の側縁に亘って端部カバー２９が着脱自在に取り付けられ、該端部カバー２９により前記配線用空間部１８が覆われる。【選択図】        図１
2010180561.tif 000002
【特許請求の範囲】
【請求項１】
パネル本体に電気機器が設けられた天井又は壁用の建築用パネルにおいて、パネル本体の側端部に外側方及び／又は表面側に開口して前記電気機器に接続される配線を通すための配線用空間部が形成され、前記パネル本体の側縁に亘って端部カバーが着脱自在に取り付けられ、該端部カバーにより前記配線用空間部が覆われることを特徴とする建築用パネル。
【請求項２】
前記配線用空間部に端部カバーが着脱自在に取り付けられるカバー取付具が設けられ、該カバー取付具は、前記配線用空間部の開放される外側方又は表面側に向かって開口する配線用の空所と、該空所を挟んで対向する係合片部を備え、前記端部カバーが前記カバー取付具の両係合片部に着脱自在に係合されて取り付けられることを特徴とする請求項１に記載の建築用パネル。
【請求項３】
請求項１又は請求項２の建築用パネルの取付構造であって、前記パネル本体を部屋の天井面又は壁面の一部から突出するように、天井面又は壁面に重ねて取り付けることを特徴とする建築用パネルの取付構造。
【発明の詳細な説明】
【技術分野】
【０００１】
本発明は電気機器が設けられた天井又は壁用の建築用パネル及びその取付構造に関する。
【背景技術】
【０００２】
従来、例えば特許文献１に示す輻射暖房パネルのような電気機器を備えた天井又は壁用の建築用パネルが利用されている。この種の建築用パネルは主体を構成するパネル本体の施工後にパネル本体に設けられた電気機器を配線接続する。
【先行技術文献】
【特許文献】
【０００３】
【特許文献１】特表２００６−５０９１７８
【発明の概要】
【発明が解決しようとする課題】
【０００４】
ところで、前記パネル本体の電気機器に接続される配線は、通常、パネル本体から天井裏や壁裏に引き出されるものであるが、施工時の配線作業やメンテナンスを狭い天井裏や壁裏で行わなければならず、施工性及びメンテナンス性に優れない。
【０００５】
本発明は上記従来の事情に鑑みてなされたものであって、施工性及びメンテナンス性に優れ、且つ、電気機器に接続される配線を仕舞いよく収めることができて外観の優れた建築用パネル及びその取付構造を提供することを課題とする。
【課題を解決するための手段】
【０００６】
上記課題を解決するために本発明の建築用パネルは以下の構成を有する。
【０００７】
パネル本体２に電気機器３が設けられた天井７又は壁用の建築用パネルにおいて、パネル本体２の側端部に外側方Ａ及び／又は表面側Ｂに開口して前記電気機器３に接続される配線２８を通すための配線用空間部１８が形成され、前記パネル本体２の側縁に亘って端部カバー２９が着脱自在に取り付けられ、該端部カバー２９により前記配線用空間部１８が覆われる。
【０００８】
また、本発明の建築用パネルにおいて、前記配線用空間部１８に端部カバー２９が着脱自在に取り付けられるカバー取付具３４を設ける場合には、前記カバー取付具３４は、前記配線用空間部１８の開放される外側方又は表面側に向かって開口する配線２８用の空所３５と、該空所３５を挟んで対向する係合片部３７を備え、前記端部カバー２９が前記カバー取付具３４の両係合片部３７に着脱自在に係合されて取り付けられることが好ましい。
【０００９】
また、本発明の建築用パネルはその施工にあたって前記パネル本体２を部屋の天井面７ａ又は壁面の一部から突出するように、天井面７ａ又は壁面に重ねて取り付けることが好ましい。
【発明の効果】
【００１０】
本発明にあっては、パネル本体の側端部に外側方及び／又は表面側に開口した配線用空間部が形成されるので、パネル本体を施工面に取り付け施工した後においても、配線用空間部に配線を容易に配置することができる。また、配線用空間部に位置させた配線は、パネル本体の側端部に亘って設けられた端部カバーによって覆い隠すことができ、外観の優れたものとなる。また、この端部カバーはパネル本体から取り外すことができ、メンテナンスも容易になる。
【００１１】
また、端部カバーの両側をカバー取付具の両側の係合片部に係合して取り付けるので、釘や接着により取り付ける場合と比較して端部カバーをパネル本体に容易に取り付けることができる。また、釘等で配線を傷つける恐れもない。また、端部カバーをカバー取付具に被せた状態で取り付けることができて、カバー取付具の配線が配置される空所が端部カバーによって埋まらず、この場合、端部カバーの取り付けの際に端部カバーで空所に通した配線が巻き込まれることを防止でき、断線を防止できる。
【００１２】
また、本発明は、前記パネル本体を部屋の天井面又は壁面の一部から突出するように、天井面又は壁面に重ねて取り付けるものであり、パネル本体を施工面となる天井又は壁に取り付け施工した後において、配線用空間部に配線を容易に配置することができる。
【図面の簡単な説明】
【００１３】
【図１】本発明の実施形態の一例を示す端部カバーの図示を省略した建築用パネルの正面図である。
【図２】同上の建築用パネルの分解斜視図である。
【図３】同上の端部カバーを取り外した建築用パネルを示し、（ａ）は電気的接続部を収納凹所に収納した状態を示す斜視図、（ｂ）は電気的接続部を収納凹所に収納した状態を示す表面板の図示を省略した斜視図、（ｃ）は電気的接続部を収納凹所から引き出した状態を示す表面板の図示を省略した斜視図である。
【図４】同上の建築用パネルを部屋の天井に施工した状態を示す斜視図である。
【図５】（ａ）〜（ｃ）は同上の建築用パネルの施工手順を順に示す説明図である。
【図６】同上の複数の建築用パネルからなるパネルユニットの施工状態を示す端部カバーの図示を省略した正面図である。
【図７】同上の建築用パネルの側端部を示す断面図である。
【図８】同上の建築用パネルの端部カバーを取り外した状態を示す分解斜視図である。
【発明を実施するための形態】
【００１４】
以下、本発明の実施形態の一例について添付図面に基づいて説明する。
【００１５】
本例の建築用パネルは、住宅における天井材を構成するパネル本体２に電気機器３を構成する面状ヒーター３ａ、３ｂが設けられた内装パネル１であり、輻射暖房パネルとして用いられる。
【００１６】
パネル本体２は長方形状に形成され、図２に示す基材４、断熱材５、及び表面材６で構成される。基材４、断熱材５、及び表面材６はこの順序で天井７側から順に配置される。
【００１７】
基材４は、木製又は樹脂製で矩形状の枠体９と、枠体９に裏打ちされる板状の裏面材１０で構成されている。
【００１８】
基材４の表面の長手方向の両側には矩形状の凹み部１１が夫々形成されている。各凹み部１１には断熱材５が収納される。
【００１９】
各断熱材５は種類の異なる２つの断熱部材５ａ、５ｂで構成されている。本例では、断熱部材５ａが剛性の高いウレタン樹脂からなり、断熱部材５ｂが断熱性の優れた真空断熱部材からなるが、例えば断熱部材５ａが硬質ウレタン樹脂からなり、断熱部材５ｂが軟質ウレタン樹脂からなるもの等であってもよい。
【００２０】
断熱部材５ａは凹み部１１に嵌め込まれる。断熱部材５ｂは断熱部材５ａの表面に形成された矩形状の凹部からなる嵌込部１２に嵌め込まれて断熱部材５ａの表面側Ｂに重ねられる。
【００２１】
各断熱部材５ｂの表面側Ｂには面状ヒーター３ａ、３ｂが配置され、各面状ヒーター３ａ、３ｂも嵌込部１２内に配置される。
【００２２】
面状ヒーター３ａ、３ｂはＰＴＣヒーターからなり、風のない輻射方式で天井７側から、室温上昇を抑えつつ、人や布団等を直接暖めることができる。
【００２３】
各面状ヒーター３ａ、３ｂには電源線からなるリード線１３を介してコネクター１４が接続されている。各コネクター１４は中継器１５ａの面状ヒーター３ａ、３ｂ側の前面に形成された接続部１６に着脱自在に接続される。
【００２４】
図１のように各中継器１５ａの両側面には外部の配線２８を接続するための接続部１７が形成されている。各接続部１７には、前記面状ヒーター３ａ、３ｂ以外の他の電気器具に電気的に接続される配線２８の端部に設けられたコネクター２１或いは配線２８の端部が着脱自在に接続される。他の電気器具としては、天井７裏に配置される電源や、隣接して設置される内装パネル１の面状ヒーター３ａ、３ｂ等が挙げられる。すなわち、各中継器１５ａは面状ヒーター３ａ、３ｂを他の電気器具に電気接続するための電気的接続部１５を構成している。
【００２５】
前記他の電気器具を中継器１５ａの接続部１７に接続することにより、当該内装パネル１の面状ヒーター３ａ、３ｂに電力を供給する。
【００２６】
図２に示される表面材６は木質板や樹脂板、あるいは金属板からなり、枠体９の表面側Ｂに取り付けられ、断熱材５及び面状ヒーター３ａ、３ｂを覆う。
【００２７】
前記パネル本体２の長手方向における両側の端部には、パネル本体２の表面側Ｂ及び外側方Ａに開放する配線用空間部１８とパネル本体２の外側方Ａに開口する収納凹所１９が形成されている。
【００２８】
各配線用空間部１８はパネル本体２の幅方向に亘って形成されている。パネル本体２の長さ方向の両側の端部においては、図７のように裏面材１０の側端部が枠体９の側端面よりも外側方Ａに突出すると共に、表面材６の側端面が枠体９の側端面と略面一とされ、これによりパネル本体２の長手方向の両側端部には配線用空間部１８を構成する外側方Ａ及び表面側Ｂに開放した段状の凹所が形成される。
【００２９】
各収納凹所１９は配線用空間部１８の長手方向の一部をパネル本体２の内側に延ばして形成され、各収納凹所１９はパネル本体２の幅方向の中央部に形成されている。具体的には枠体９の短辺を構成する桟材９ａの長手方向中央部の表面に配線用空間部１８に連通する凹所２０を形成し、この配線用空間部１８を介してパネル本体２の外側方Ａに開口する凹所２０により各収納凹所１９が構成されている。
【００３０】
表面材６と裏面材１０に挟まれる各桟材９ａの長手方向の両側には、配線用空間部１８に連続する凹所からなる余剰配線収納部２３が形成されている。該余剰配線収納部２３は基材４の裏面部に形成された開口２４を介して基材４の裏面側に連通している。
【００３１】
各収納凹所１９は桟材９ａに形成された溝２６を介して対応する凹み部１１に連通している。各断熱部材５ａの溝２６に対向する側端中央部には溝２６を嵌込部１２内に連通させる切欠２７が形成されている。
【００３２】
各面状ヒーター３ａ、３ｂに接続されたリード線１３は切欠２７及び溝２６で構成されたリード線通路を介して対応する収納凹所１９に導出され、これらリード線１３の端部に接続されたコネクター１４は該コネクター１４が接続された中継器１５ａと共に収納凹所１９に嵌め込まれて収納される。
【００３３】
中継器１５ａの両側の接続部１７にコネクター２１を接続した場合には、これらコネクター２１はコネクター嵌合部２２に嵌合して中継器１５ａと共に収納凹所１９に収納される。
【００３４】
各中継器１５ａは図３に示すように収納凹所１９に外側方Ａから出し入れ自在に収納され、対応する面状ヒーター３ａ、３ｂにコネクター１４及びリード線１３を介して接続した状態のまま、パネル本体２の外側方Ａに引き出したり、収納凹所１９に挿入したりできる。また、この中継器１５ａの出し入れは中継器１５ａの両側にコネクター２１を接続した状態でも行えるようになっている。
【００３５】
中継器１５ａの接続部１７に接続された配線２８は配線用空間部１８に収納される。また、配線２８の余剰部分は余剰配線収納部２３に収納することができ、これにより配線２８を余裕をもって中継器１５ａに接続可能になると共に、余った配線２８の余剰部分が配線用空間部１８の外部にはみ出すのを防止できる。また、余剰配線収納部２３は天井７裏等から開口２４を介してパネル本体２に導入された配線２８を配線用空間部１８まで通すためにも用いられる。
【００３６】
図７等に示すようにパネル本体２の長手方向の両側の側端部には、収納凹所１９に収納された中継器１５ａ及び配線用空間部１８や余剰配線収納部２３に収納された配線２８を覆う端部カバー２９が装着される。
【００３７】
各端部カバー２９はパネル本体２の短辺の全長に亘り、内装パネル１の縁材を構成する。なお、端部カバー２９は、図４のように隣接して設置される複数のパネル本体２に亘って設けられるものであってもよいし、図８のようにパネル本体２毎に設けられるものであってもよい。
【００３８】
各端部カバー２９は、配線用空間部１８及び表面材６の側縁部を表面側Ｂから覆う表面部３０と、表面部３０からパネル本体２の裏側に向けて突出して、配線用空間部１８び裏面材１０の側縁部をパネル本体２の外側方Ａから覆う側面部３１とで構成されている。
【００３９】
表面部３０の先端面には差込溝３２が端部カバー２９の長手方向に亘って形成されている。また、側面部３１にはパネル本体２側に向けて突出する差込片部３３が形成されている。
【００４０】
一方、配線用空間部１８には前記端部カバー２９をパネル本体２に着脱自在に取り付けるためのカバー取付具３４が配線用空間部１８の長手方向に複数設けられている。図８の例では、カバー取付具３４がパネル本体２の幅方向において収納凹所１９を挟んだ両側に設けられている。
【００４１】
各カバー取付具３４は弾性変形しやすい金属製のばね板又は合成樹脂からなる。各カバー取付具３４は断面が外側方Ａに向けて開口する略Ｕ字状に形成され、配線用空間部１８の開放させた外側方Ａに向かって開口する配線用の空所３５と、該空所３５を挟んで対向する係合片部３７を備えている。空所３５には配線用空間部１８に収納された配線２８が通される。
【００４２】
各カバー取付具３４はＵ字状の両側の係合片部３７を接続する中央の片部３８を基材４の枠体９に沿わせてねじ等により固着してパネル本体２に取り付けられる。各カバー取付具３４のパネル本体２の裏面側の係合片部３７は表面側の係合片部３７よりも外側方に突出しており、両係合片部３７の先部は屈曲した弾接部３９となっている。
【００４３】
各端部カバー２９をパネル本体２に取り付けるには、差込溝３２にカバー取付具３４の表面材６側の係合片部３７を差し込んで係合させ、差込片部３３を外側方Ａから他方の係合片部３７の弾接部３９と裏面材１０の間に差し込んで係合させ、このように端部カバー２９の両側をカバー取付具３４の両側の係合片部３７に夫々係合して端部カバー２９をカバー取付具３４に被せる。これによって、一方の弾接部３９が差込溝３２の内面に弾接されると共に、他方の弾接部３９が差込片部３３に弾接される。そして、このように取り付けられた端部カバー２９により、配線用空間部１８に配置された配線２８や収納凹所１９に収納された中継器１５ａが覆われる。
【００４４】
図４は、上記構成の内装パネル１を住宅における天井面７ａの一部から突出するように該天井面７ａに重ねて取り付け施工した場合の一例を示しており、以下、施工の一例に付き説明する。
【００４５】
図４のように内装パネル１を天井面７ａに取り付けるには、まず図５（ａ）→（ｂ）のように複数枚のパネル本体２を互いに隣接するように並列配置した状態で天井面７ａにねじ等で固定する。その後、各パネル本体２の側端部において、面状ヒーター３ａ、３ｂにコネクター１４及びリード線１３を介して接続された中継器１５ａの接続部１７に他の電気器具に電気的に接続された配線２８又はコネクター２１を接続する。
【００４６】
このとき図３（ｂ）→（ｃ）のように面状ヒーター３ａ、３ｂのコネクター１４に接続された状態で収納凹所１９に嵌合している中継器１５ａを収納凹所１９から外側方Ａに引き出して、中継器１５ａの接続部１７に横方向から配線２８の端部又はコネクター２１を接続し、この後、図３（ａ）、（ｂ）のように中継器１５ａを収納凹所１９内に押し戻すことにより、パネル本体２内部の収納凹所１９に中継器１５ａ、コネクター２１を納め、また、このコネクター２１に接続された配線２８を配線用空間部１８や余剰配線収納部２３に配置する。
【００４７】
この要領で隣接する各内装パネル１間に順次送り配線し（図６の状態）、最後に図５（ｂ）→（ｃ）のように隣接して設置された複数のパネル本体２の側端部に亘って端部カバー２９が装着され、複数枚の内装パネル１からなるパネルユニットが構成される。
【００４８】
以上説明した本例の内装パネル１は、パネル本体２の側端部に外側方Ａ及び表面側Ｂに開放した配線用空間部１８を形成したので、パネル本体２を天井面７ａに取り付け施工した後においても、配線用空間部１８に配線２８を容易に配置することができる。
【００４９】
また、配線用空間部１８に位置させた配線２８や収納凹所１９に収納された中継器１５ａは、パネル本体２の側端部に取り付けられた縁材を構成する端部カバー２９によって覆い隠すことができ、外観の優れたものとすることができる。
【００５０】
また、端部カバー２９を取り外した状態において、略Ｕ字状に形成されたカバー取付具３４により、空所３５に通した配線２８を保持することもでき、施工が容易になる。さらに、端部カバー２９の両側をカバー取付具３４の両側の係合片部３７に着脱自在に係合することにより、端部カバー２９をカバー取付具３４に取り付けることで、釘や接着により取り付ける場合と比較して端部カバー２９をパネル本体２に容易に取り付けることができる。また、この場合、端部カバー２９を差込片部３３及び表面部３０を両側の係合片部３７の夫々に沿わせてカバー取付具３４に被せた状態で取り付けることができ、取り付けの際に端部カバー２９で空所３５に通した配線２８が巻き込まれ難くなり、断線を防止できる。また、端部カバー２９はパネル本体２から容易に取り外すことができ、メンテナンスも容易になる。
【００５１】
なお、本例では内装パネル１は天井７に施工する場合につき説明したが、同様に壁に施工してもよい。
【００５２】
また、電気機器３を面状ヒーター３ａ、３ｂとしたが、パネル本体２に設けられる電気機器３は、その他の暖房器具や、照明器具、音響器具等であってもよい。また、配線２８やリード線１３は電源線であるが、信号線であってもよい。
【００５３】
また、配線用空間部１８はパネル本体２の短辺に設けたが、長辺に設けてもよい。また、配線用空間部１８はパネル本体２の表面側Ｂのみ、或いは外側方Ａのみ開口するものであってもよい。また、カバー取付具３４は配線用空間部１８の表面側Ｂの開口側に向けて開口する断面略Ｕ字状に形成されるものであってもよい。
【００５４】
また、枠体９と裏面材１０は一体に形成してもよく、また、基材４は枠体９のみで構成してもよい。また、断熱材５は一部材で構成してもよく、また、断熱部材５ａを基材４と一体に構成してもよい。
【符号の説明】
【００５５】
１  内装パネル
２  パネル本体
３  電気機器
７  天井
１８  配線用空間部
２８  配線
２９  端部カバー
３４  カバー取付具
３５  空所
【図１】
2010180561.tif 000003
【図２】
2010180561.tif 000004
【図３】
2010180561.tif 000005
【図４】
2010180561.tif 000006
【図５】
2010180561.tif 000007
【図６】
2010180561.tif 000008
【図７】
2010180561.tif 000009
【図８】
2010180561.tif 000010